(57)【要約】      （修正有）【課題】お塩、お米、お神酒又はお水をお供えする器をコンパクトにセットして、厄払い清める場所にお供えすることができる清え願い棚を提供する。【解決手段】お供物の受皿として、皿形容器を上段中段、及び最下段を棚にセットする。セット方法として、棚中心部に支柱軸を有し、前記皿形容器を前記支柱軸の外周に外嵌配置して、前記皿形容器を上、下に適宜間隔に重ねた。前記支柱軸が最下段の皿形容器の中心部に立設されている、前記皿形容器の中心部に筒状軸受部を一体に設け、核、筒状軸受部を支柱軸に回転自在に外嵌配置した。前記最下段の皿形容器の底部上面にお神酒又はお水の容器が倒れないように、転倒防止用突部を設けた。前記皿形容器を平面視で扇形形状とした。前記支柱軸が最下段皿形容器の中心部に立設される  核  皿形容器底部の下面の少なくとも角部にバランス用の突部を設けた。【選択図】図３
0003125211.tif 000002
【実用新案登録請求の範囲】
【請求項１】
家内安全、家運隆昌、及び、商売繁昌、等の神事のお供物として、お塩お米、及び、お神酒又はお水をお供えする各々の、皿形容器をセットにした清え願い棚であって、棚中心部に支柱軸を有し、前記皿形容器を前記支柱軸の外周に外嵌配置して、前記皿形容器を上、下に適宜間隔に重ねた、清え願い棚
【請求項２】
請求項１  記載の清え願い棚において前記支柱軸が、最下段の皿形容器の中心部に立設されていることを、特徴とする清え願い棚
【請求項３】
請求項１  乃至  請求項２のいずれかに記載の清え願い棚において、前記皿形容器の中心部に筒状軸受部を一体に設け  核  筒状軸受部を支柱軸に回転自在に外嵌配置したことを特徴とする清え願い棚
【請求項４】
請求項１  乃至  請求項３のいずれかに記載の清え願い棚において、前記最下段の皿形容器の底部上部に、お神酒又はお水の容器が倒れないように転倒防止用突部を設けた特徴の清え願い棚
【請求項５】
請求項１  乃至  請求項４のいずれかに記載の清え願い棚において、前記皿形容器が平面視で、扇形形状であることを特徴とする清え願い棚
【請求項６】
請求項５  記載の清え願い棚において、前記支柱軸が最下段皿形容器の中心部に立設される  核  皿形容器底部の下面の少なくとも、角部にバランス用突起を設けたものを特徴とした、清え願い棚
【請求項７】
請求項１  乃至  請求項６のいずれかの記載の清え願い棚において、上段の皿形容器側面に、家内安全、中段の皿形容器側面に家運隆昌、及び最下段の皿形容器の側面に、商売繁昌の浮文字を形成したことを特徴とする清え願い棚
【考案の詳細な説明】
【技術分野】
【０００１】  本考案は、人間、土地、建物、その他、あらゆる形ある物の厄祓い清めの神事を行うには、神社、仏閣、その他、神神に仕える神主をお呼びして、多量のお供物をお供えして、広い広場を必要とし、神事を行うには、多額の費用と、時間の消耗が考えられる。これらの神事の分野である
【背景技術】
【０００２】  神社、仏閣、その他の神神による厄払いの神事を実施するに伴い、神神へのお供物を、独特の受皿にお供え、独特の受台にお供えするその前面で、神社、仏閣、その他の神神により厄払い神事を実施する。
例として厄払い神事後お供物の、お塩、お米、お神酒又はお水を、厄払い目的物、目的場所へ撒いて、厄払い清める、この神事にお供えするお供物の受皿に関する。
【考案の開示】
【考案が解決しようとする課題】
【０００３】  神事のお供物であるお塩、お米、を小皿に山盛りし、お神酒を入れた器を厄払い清める狭い場所に、長期間、置くのは好ましくない。
又お塩、お米、お神酒を所定の場所に厄払い清めるために撒いたりすれば、場所によっては、お塩による周囲、建築物の錆びや汚れ等の環境への影響も考慮しなければならない。
本  考案はこれらの問題を解決し厄払い清めるための住居等の狭い四角の場所も場所もとらず、お塩、お米、お神酒又はお水をお供えする器をコンパクトにセットして、厄払い清める場所にお供えすることができる清え願い棚を提供することを課題とする。
【課題を解決するための手段】
【０００４】  請求項１の考案による清え願い棚は、家内安全、家運隆昌、及び商売繁昌等の神事のお供物として、お塩、お米、及びお神酒又はお水をお供えする各々の皿形容器をセットにした清え願い棚であって、棚中心部に支柱軸を有し、前記皿形容器を前記支柱軸の外周に外嵌配置して、前記容器を上、下に適宜間隔に重ねた清え願い棚【０００５】  請求項１記載の清え願い棚において、前記支柱軸が最下段の皿形容器の中心部に立設されている事を特徴とする清え願い棚【０００６】  請求項１乃至請求項２のいずれかに記載の清え願い棚において、前記皿形容器の中心部に筒状軸受部を一体に設け  核  筒状軸受部を支柱軸に回転自在に外嵌配置したことを特徴とする清え願い棚【０００７】  請求項１乃至請求項３のいずれかに記載の清え願い棚において、前記最下段の皿形容器の底部上面にお神酒又はお水の容器が倒れないように転倒防止用突部を設けた特徴の清え願い棚【０００８】  請求項１乃至請求項４のいずれかに記載の清え願い棚において前記皿形容器が平面視で扇形形状であることを、特徴とする清え願い棚【０００９】  請求項５記載の清え願い棚において、前記支柱軸が最下段皿形容器の中心部に立設される  核  皿形容器底部の下面の少なくとも角部にバランス用突起を設けたものを、特徴とした清え願い棚【００１０】  請求項１乃至請求項６のいずれかの記載の清え願い棚において、上段の皿形容器側面に家内安全、中段の皿形容器側面に家運隆昌、最下段の皿形容器の側面に商売繁昌の浮文字を形成したことを特徴とする、清え願い棚
【考案の効果】
【００１１】  家内安全、家運隆昌、及び  商売繁昌、等の神事のお供物として、お塩、お米、及びお神酒又はお水をお供えする各々の皿形容器をセットにした清え願い棚で、棚中心部に支柱軸を有し皿形容器を支柱軸の外周に外嵌配置して皿形容器を上、下に適宜間隔に重ね固着し立体化、軽量化小型化、した事により、厄払い神事の簡素化、お供物の長期間使用、狭い場所での神事、及び神事の多様化が図られる【００１２】  請求項２の考案によれば清え願い棚である上段の皿形容器、中段の皿形容器及び最下段の皿型容器、又棚中心部の支柱軸、嵌合用具等をプラスチック形成一体化することにより、塩害、汚れ発生、等、環境にも配慮した、清え願い棚であり、これらの材質はプラスチック製にとどまらず、金属製、木製品、その他の材質であっても、可能【００１３】  請求項３の考案によれば、前記記載の清え願い棚において、前記皿形容器の中心部に筒状軸受部を一体に設け  核  筒状軸受部を支柱軸に回転自在に外嵌配置した、清え願い棚を必要に応じ、皿形容器の向きを変えることができる【００１４】  請求項４の考案によれば、最下段の皿形容器の底部上面にお神酒又はお水を入れる容器が倒れないように転倒防止用突部を設けたので、清え願い棚に不容易な負荷が掛かっても容易にお神酒又はお水入れ容器が転倒することがない【００１５】  請求項５の考案によれば、皿形容器が平面視で扇形形状としたので清え願い棚を居住の内部角部に納めて厄払い清めができる【００１６】  請求項６の考案によれば、支柱軸の最下段の皿形容器の中心部に立設されるとともに  核  皿形容器底部下面の少なくとも角部にバランス用突起部を設けたから、皿形容器が平面視で扇形形状として、安定化が図られ倒れない【００１７】  請求項７の考案によれば、上段の皿形容器の側面に、家内安全、中段の皿形容器の側面に家運隆昌、及び最下段の皿形容器の側面に商売繁昌の浮文字を形成して清え願い棚とした
【考案を実施するための最良の形態】
【００１８】  請求項１の考案の実施は、家内安全、家運隆昌、及び商売繁昌等の神事のお供物として、お塩、お米、及びお神酒又はお水をお供えする各々の皿型容器をセットにした清え願い棚であって、棚中心部に支柱軸を有し前記皿形容器を前記支柱軸の外周に外嵌配置して前記皿形容器上、下に適宜間隔に重ねた清え願い棚【００１９】  請求項１記載の清え願い棚において、前記支柱軸が最下段の皿形容器の中心部に立設されていることを特徴とする清え願い棚【００２０】  請求項１乃至請求項２のいずれかに記載の清え願い棚において、前記皿形容器の中心部に筒状軸受部を一体に設け  核  筒状軸受部を支柱軸に回転自在に外嵌配置したことを特徴とする清え願い棚【００２１】  請求項１乃至請求項３のいずれかに記載の清え願い棚において、前記最下段の皿形容器の底部上面に、お神酒又はお水の容器が倒れないように転倒防止用突部を設けた特徴の清え願い棚【００２２】  請求項１乃至請求項４のいずれかに記載の清え願い棚において、前記皿形容器が平面視で扇形形状であることを特徴とする清え願い棚【００２３】  請求項５の記載の清え願い棚において、前記支柱軸が最下段皿形容器の中心部に立設される  核  皿形容器底部の下面の少なくとも角部にバランス用突起を設けたものを特徴とした清え願い棚【００２４】  請求項１乃至請求項６のいずれかの記載の清え願い棚において、上段の皿形容器側面に、家内安全、中段の皿形容器側面に家運隆昌及び最下段の皿形容器側面に商売繁昌の浮文字を形成したことを特徴とする清え願い棚
【使用例】
【００２５】  図５は清え願い棚の神事のお供え場所等で厄払い清める使用例建築物入口両側にお供えする、及び建築物の外側の四角にお供えして厄払い清める。住宅内居宅の場合は居宅の四角に清え願い棚をお供えする。土地の厄払い清める場合、土地の区画の四角に清え願い棚をお供えする。
【産業上の利用可能性】
【００２６】  建築しようとする土地区画に神事の厄払い後に、土地の四角にこの清え願い棚をお供えすることにより、神事後の厄払い清める。又建築後に建物の外側の四角に、この清え願い棚をお供えすることにより、以後の厄払い清める。
【図面の簡単な説明】
【００２７】
【図１】は清え願い棚の構成した皿形容器の一体形成した、上段の皿形容器を上面視した図で扇形形状。上段皿形容器の中央部にお供物の浮文字、塩、が表示され、中段皿形容器の中央部にはお供物の浮文字、米が表示され、最下段皿形容器の中央部にはお供物のお神酒又はお水の容器が設置され前記容器の転倒防止用の突部が前記皿形容器と一体で形成
【図２】は家内安全、家運隆昌、及び商売繁昌等の神事のお供物としてお塩、お米、及びお神酒又はお水をお供えする各々の皿形容器をセットにした清え願い棚を正面視
【図３】は前記図２の清え願い棚の正面視をｂ〜ｂ′の組立断図面で棚中心部に支柱軸を有し、前記皿形容器を前記支柱軸の外周に外嵌配置して前記皿形容器を上、下に適宜間隔に重ねた清え願い棚
【図４】は前記Ｂ〜Ｂ′組立断面図の最下段の皿形容器のＡ〜Ａ′断面図で前記最下段の皿形容器の前記支柱軸の外嵌断面と前記最下段の皿形容器の神事にお供物のお神酒又はお水の容器と前記容器の転倒防止用突物を表示
【図５】使用例である。
【符号の説明】
【００２８】１    家内安全、の浮文字を有した神事のお供物のお塩をお供えする皿形容器の一体形成された上段の皿形容器
１ａ  棚中心部の支柱軸に嵌合される回転自在な皿形容器の筒状軸部
１ｂ  一体形成された上段の皿形容器のお供物のお塩の落下防止用外壁
１ｃ  一体形成された上段の皿形容器のお供物のお塩で、厄払い清める、祈願用浮文字の、家内安全
２    家運隆昌、の浮文字を有した神事のお供物のお米をお供えする皿形容器の一体形成された中段の皿形容器
２ａ  棚中心部の支柱軸に嵌合される回転自在な皿形容器の筒状軸受部
２ｂ  一体形成された中段の皿形容器のお供物のお米の落下防止用外壁
２ｃ  一体形成された中段の皿形容器のお供物のお米で厄払い清め祈願用浮文字の家運隆昌
３    商売繁昌、の浮文字を有した神事のお供物のお神酒又はお水をお供えする皿形容器の一体形成された最下段の皿形容器
３ａ  棚中心部の支柱軸が最下段の皿形容器の中心部に立設される  核  皿形容器の筒状軸受部
３ｂ  一体形成された最下段の皿形容器のお供物のお神酒又はお水の落下防止用外壁
３ｃ  一体形成された最下段の皿形容器のお供物のお神酒又はお水で厄払い清める祈願用浮文字の商売繁昌
３ｄ  一体形成された最下段の皿形容器のお供物のお神酒又はお水の容器が倒れないように転倒防止用突部
３ｅ  一体形成された最下段の皿形容器の中心部に立設される  核  皿形容器底部の下面の少なくとも角部にバランス用突起
３ｆ  一体形成された最下段の皿形容器の中心部に立設される  核  支柱軸が嵌合されるネジ部
４    家内安全、家運隆昌、及び商売繁昌の神事のお供物として、お塩、お米、及びお神酒又はお水をお供えする各々の皿形容器をセットにした棚中心部に支柱軸を有し前記皿形容器を前記支柱軸の外周に外嵌配置前記皿形容器を上、下に適宜間隔に重ねるための支柱軸
４ａ  前記一体形成の上段の皿形容器、中段の皿形容器及び、最下段の皿形容器を外嵌したあとそれぞの皿形容器が移動しないための固定用具のネジ受部
４ｂ  前記一体形成の最下段の皿形容器の中心部の支柱軸受部に嵌合する支柱軸の固定用下部
５    前記一体形成の上段の皿形容器、中段の皿形容器、及び最下段の皿形容器が移動しないための固定用具
５ａ  前記一体形成の上段の皿形容器、中段の皿形容器、及び最下段の皿形容器が移動しないための固定用具の軸
６    前記一体形成の最下段の皿形容器にセットされるお供物のお供えするお神酒又はお水を入れる容器
【図１】
0003125211.tif 000003
【図２】
0003125211.tif 000004
【図３】
0003125211.tif 000005
【図４】
0003125211.tif 000006
【図５】
0003125211.tif 000007